(57)【特許請求の範囲】
【請求項１】
胴部材と底部材とからなる紙カップにおける前記胴部材と前記底部材とを接合している糸じり部の下部分を９０度以上内側に折り曲げて折り曲げ部を形成し、前記折り曲げ部と前記底部材の底面部との空間の間隙幅が最大部位において５ｍｍ以下であり、前記折り曲げ部に凹状のくさびを設けていることを特徴とする電子レンジ用紙カップ。
【発明の詳細な説明】
【０００１】
【発明の属する技術分野】
本発明は、電子レンジで使用する紙カップに関するものである。
【０００２】
【従来の技術】
従来より、自動販売機などで熱い飲料用、即席食品用などに紙カップが広く使用されている。また、一般的ではないものの、飲料や惣菜などの入った紙カップを直接電子レンジを利用し、加熱調理することも行なわれている。
【０００３】
しかしながら、一般形状の紙カップに内容物を入れて電子レンジで加熱調理した場合、紙カップの底の糸じり部に焦げを生じる場合があるという問題がある。その原因は、つぎのように考えられる。紙の材料のパルプのセルロースは基本的には電子レンジのマイクロ波を吸収する。従って、紙の重なる部分では、紙厚が増し発熱量が増す。しかし、表面積は小さく熱の放出量が少なく、発生した熱を蓄積することになり、温度が上昇し、焦げを発生させる原因となっている。ただし、内容物がある場合には、紙に発生し蓄積された熱が内容物に奪われるため焦げが発生しにくくなる。また、糸じり部の内外の両側からマイクロ波が照射されることも、焦げを発生させる原因となっている。つまり、通常の紙カップでは、図９に示すように、胴部材１と底部材２の接合部位として糸じり部３を持つ構造であるため、この糸じり部３は、内容物に触れることななく、畜熱されやすく、内外の両側からマイクロ波が照射さるために焦げが生じやすい。
【０００４】
この問題を解決するために、特開平１１−１１５４１号公報において、糸じり部を設けない形状の電子レンジ用紙カップが開示されている。実際に、図１０に示すような糸じり部を設けない形状の電子レンジ用紙カップでは、焦げの発生は見られない。
【０００５】
【発明が解決しようとする課題】
しかしながら、上記の糸じり部を設けない電子レンジ用紙カップでは、胴部材１と底部材２の接合部が糸じり部を設けた場合と比べて不十分であり、内容物によっては、洩れが生じるという問題がある。
【０００６】
本発明は、紙カップの中に、飲料や即席食品などの内容物を入れ、電子レンジで加熱調理した時に、洩れることなく、紙カップのどの部分にも焦げが発生しない電子レンジ用紙カップを提供する。
【０００７】
【課題を解決するための手段】
上記のような課題を解決すべく検討した結果、本発明の電子レンジ用紙カップは、胴部材と底部材とからなる紙カップにおける前記胴部材と前記底部材とを接合している糸じり部の下部分を９０度以上内側に折り曲げて折り曲げ部を形成し、前記折り曲げ部と前記底部材の底面部との空間の間隙幅が最大部位において５ｍｍ以下であり、前記折り曲げ部に凹状のくさびを設けていることを特徴とする電子レンジ用紙カップである。
【０００８】
本発明によれば、紙カップの糸じり部の下部分を内側に折り曲げることにより、紙カップの中に、飲料や即席食品などの内容物を入れ、電子レンジで加熱調理した時に、内容物の洩れることがなく、紙カップのいずれの部分にも焦げを発生させることのない電子レンジ用紙カップを得ることができる。
【０００９】
【発明の実施の形態】
以下に、図面を参照しながら、本発明の実施の形態について、さらに詳しく説明する。
【００１０】
一般的な紙カップａは、図９に示すように、底部材２の外周縁部を下方へ屈曲して屈曲部２２とし、その屈曲部２２を胴部材１の下端部を内側に折り込んだ折り返し部１２と胴部１１の下端部とで挟んで加熱圧着して接合して形成されている。この接合部分を糸じり部３と称し、底部材２の底面部２１を上げ底にしている。この糸じり部３の一部に、電子レンジ内で畜熱し、焦げを生じる。
【００１１】
図１は、電子レンジ用紙カップの第一の形態の一参考例を示している。電子レンジ用紙カップＡは、一般的な紙カップと同様に、胴部材１と底部材２とからなり、胴部材１と底部材２との接合部である糸じり部３を有している紙カップａの糸じり部３の下部分を、図１に示すように、内側に折り曲げて折り曲げ部３ａとし、底部材２の底面部２１との間に空間Ｏを有する形状としている。この折り曲げ部３ａを折り曲げる位置は、糸じり部３の下端から１／２〜３／４の範囲とし、折り曲げ部３ａと底部材２の底面部２１との空間Ｏの間隙幅は最大部位で５ｍｍ以下が好ましく、さらに好ましくは２ｍｍ以下である。５ｍｍ以上になると、焦げを生じる危険度が高くなる。折り曲げる角度は、図１−ａに示すような９０度から、図１−ｂに示すような折り曲げ部３ａの先端が底部材２の底面部２１に接するまでの範囲としている。折り曲げる角度が大きい程、発生するシワを吸収することができる。
【００１２】
また、糸じり部３の内側面となる胴部材１の折り返し部１２を、図２−ａに示すように、予め下端から糸じり部３の下部分を折り曲げる位置Ｐまでの幅とすることによって、図２−ｂに示すように、胴部材１の下端部と底部材２の屈曲部２２を折り曲げることになり、糸じり部３をその位置Ｐで容易に折り曲げることができる。
【００１３】
また、内側に折り曲げられた糸じり部３に元へ戻ろうとする力が働くことにより、平面上での安定が悪くなることを防ぐために、糸じり部３の下部分を内側へ折り曲げると同時に、折り曲げ部３ａの先端部を底部材２の底面部２１の外面に接着して固定することもできる。
【００１４】
さらに、折り曲げ部３ａの形状として、上記の直線状以外に、図３−ａに示すような円弧状に折り曲げた形状、図３−ｂに示すような直線状の折り曲げ部３ａの先端部を底面部２１側に直角に折り曲げた形状、図３−ｃに示すような折り曲げ部３ａの先端部を底面部２１側に円弧状に折り曲げた形状、そして、図３−ｄ、ｅ、ｆに示すような折り曲げ部３ａの先端で底面部２１を支える形状とすることもできる。
【００１５】
図４は、本発明による電子レンジ用紙カップの第二の実施の形態の一実施例を示している。電子レンジ用紙カップＢは、第一の形態の一参考例である電子レンジ用紙カップＡと同様に、胴部材１と底部材２とからなり、図４−ａに示すように、胴部材１と底部材２との接合部である糸じり部３を有している紙カップａの糸じり部３の下部分を、略９０度の角度で内側に折り曲げて折り曲げ部３ａとしている。そして、折り曲げ部３ａに凹状のくさびＱを設けている（本実施例では４ヶ所）。図４−ｂの最深部の概略断面図に示すように、くさびＱは、折り曲げ部３ａの先端にいくに従って深くなる凹状に形成されている。くさびＱを設けない場合には、折り曲げ部３ａには、図４−ｃに示すように、シワＲが多数発生するのに対して、くさびＱを設けた場合には、折り曲げ部３ａを折り曲げた際に生じるシワＲを吸収し少なくすることができ、外観上好ましく、さらに、平面上での安定性がよくなる。設けるくさびＱの数は、折り曲げ部３ａにシワＲの発生が目立たなくなる程度とし、４〜８ヶ所に等間隔で設けることが好ましい。
【００１６】
つぎに、本発明による電子レンジ用紙カップＡ、Ｂを製造する方法を説明する。
【００１７】
糸じり部３の下部分を内側に折り曲げる前の紙カップａは、一般的な紙カップの形状であり、図５に示すような胴部材ブランク１０と底部材ブランク２０とから、紙カップ成型機で成型される。一般的に、胴部材ブランク１０は、あらかじめ前工程で打ち抜かれたものを使用し、底部材ブランク２０は、紙カップ成型機上で打ち抜かれる。
【００１８】
この胴部材ブランク１０と底部材ブランク２０とを使用して紙カップａを作製する工程を簡単に説明すると、まず、胴部材ブランク１０を筒状に貼り合わせるために、胴部材ブランク１０の貼り合わせ部を熱風で予熱し、表面の樹脂を溶融させる。つぎに、胴部材ブランク１０を胴巻き型（マンドレル）に巻き付け、圧着し、筒状の胴部材１ａに貼り合わせる。つづいて、筒状の胴部材１ａを、あらかじめ打ち抜き、紙皿状に成形された底部材ブランク２０をのせたマンドレルに嵌め込み、同時に、筒状の胴部材１ａおよび底部材ブランク２０の接着部分の樹脂を熱風で予熱する。そして、筒状の胴部材１ａの下端を内側に折り返し、底部材ブランク２０の下方に折り曲げた外周縁を挟み込んで圧着し、糸じり部３を形成して胴部材１と底部材２とを接合する。さらに、筒状の胴部材１ａの上端を外側にカールし、トップカール部１３を形成し、紙カップａの成形が完成する。
【００１９】
そして、電子レンジ用紙カップＡを製造するには、この紙カップａの糸じり部３の下部を内側に折り曲げる、この工程は、まず、図６−ａに示すような方法で、糸じり部３を内側に４５度以上倒し込む。つぎに、図６−ｂに示すような方法で、上下からの熱プレスあるいは超音波溶着で倒し込まれた折り曲げ部３ａを押しつぶして溶融固化して平面状とする。この時、折り曲げ部３ａの先端部を接着剤あるいは熱接着で底面部２１と固定することもできる。
【００２０】
さらに、第二の実施の形態の電子レンジ用紙カップＢを製造するには、折り込んだ折り曲げ部３ａの数ヶ所にくさびＱを設ける。この加工は、図６−ｂに示すような熱プレス加工において、上側の型を図６−ｃに示すような突起部Ｔを設けた型に代えてプレス加工を行うことにより形成することができる。
【００２１】
つぎに、本発明の電子レンジ用紙カップに使用する材料の構成は、紙を主強度材とし、最内層に熱可塑性樹脂を有することを基本としている。例えば、紙層／ポリエチレン樹脂層、ポリエチレン樹脂層／紙層／ポリエチレン樹脂層、発泡ポリエチレン樹脂層／紙層／ポリエチレン樹脂層、ポリプロピレン樹脂層／紙層／ポリプロピレン樹脂層などが挙げられる。
【００２２】
主強度材となる紙としては、紙カップ成形適性の良いカップ原紙を使用することが好ましい。坪量は、とくに限定されないが、紙カップ成形適性上、１５０〜３００ｇ／ｍ2 の範囲がより好ましい。
【００２３】
最内層に使用する熱可塑性樹脂は、内容物の保護、特に液状の物質を入れても洩れない機能、また、熱シールにより胴部の貼り合わせ、そして胴部と底部の接着を可能にする機能を持っている必要がある。具体的には、ポリエチレン、ポリプロピレン、ポリエステル、エチレン・酢酸ビニル共重合体などが挙げられる。厚さとしては、１５〜６０μｍの範囲が好ましい。これらの熱可塑性樹脂は、押し出し加工あるいはラミネート加工によって、最内層に形成される。
【００２４】
実際に、上述の構成の電子レンジ用紙カップを電子レンジで使用した時、内容物が加熱されているため直接手で持ちにくく、より断熱性の優れた電子レンジ用紙カップが必要となる。従って、断熱性を付与するために、上述の電子レンジ用紙カップＡ、Ｂの胴部の外周に断熱カバー４を巻き込んだ形態の図７に示すような電子レンジ用紙カップＡ′、Ｂ′とすることもできる。
【００２５】
断熱カバー４の形状としては、上記のように電子レンジ用紙カップＡ、Ｂの胴部１１の外面に密着して取り付けた形状とする他に、断熱カバー４のカバー胴部４１の上端部を内側へカールしてカバー上カール部４２ａ(図８−ａ）あるいは上端部を内側へ折り返してカバー上屈曲部４２ｂ(図８−ｂ）を形成した形状とすることができる。また、断熱カバー４のカバー胴部４１の下端部を内側へカールしてカバー下カール部４３ａ(図８−ｃ）あるいは下端部を内側へ折り返してカバー下屈曲部４３ｂ(図８−ｄ）を形成した形状とすることができる。さらに、断熱カバー４のカバー胴部４１の上端部にカバー上カール部４２ａあるいはカバー上屈曲部４２ｂを形成すると共に、下端部にカバー下カール部４３ａあるいはカバー下屈曲部４３ｂを形成した形状とすることができる。この形状にすることによって、電子レンジ用紙カップＡ、Ｂの胴部１１と断熱カバー４のカバー胴部４１間に、カバー上カール部４２ａあるいはカバー下カール部４３ａの径、あるいはカバー上屈曲部４２ｂあるいはカバー下屈曲部４３ｂの厚さに相当する間隔を有する空隙５が形成されるので、電子レンジ用紙カップＡ′、Ｂ′の上下方向の全長にわたって断熱性を確保することができるものである。
【００２６】
この断熱カバー４は、電子レンジ用紙カップＡ、Ｂの胴部１１の外周に取り付けるが、外周全面に取り付ける必要はなく、電子レンジ用紙カップＡ、Ｂの胴部１１の上下方向の長さより短くして、胴部１１の外面の上部に取り付けることもできる。
【００２７】
また、断熱カバー４に使用する材料は、断熱性を有する材料であり、例えば、板紙、片段ボール紙、段ボール紙、エンボス加工紙、発泡加工紙などを使用することができる。
【００２８】
主に使用する板紙は、主にコートボール、マニラボール、アイボリー等の表面が平滑な板紙であり、厚さは２００〜４００ｇ／ｍ2の範囲が好ましい。
【００２９】
段ボールは、Ａ段、Ｂ段、Ｅ段、Ｆ段などの種類があるが、紙カップ本体ａ巻き付けるという点から、柔軟性のあるＦ段あるいはＥ段が好ましい。また、片面のライナーがない、いわゆる片面段ボールでもよく、段加工した中芯を外面に出して使用してもよい。さらに、波型に段加工をした段ボールも使用することができる。
【００３０】
このエンボス加工紙は、通常の段ボールとは異なり、中芯紙に点状模様、格子模様などの１〜２ｍｍの深さのエンボス加工を行い、ライナー紙と貼り合わせたものである。ライナー紙は片面あるいは両面に貼り合わせることができる。中芯紙は１００〜１８０ｇ／ｍ2の範囲で、ライナー紙は２００〜２７０ｇ／ｍ2の範囲で使用することができる。また、段ボールと同様に、断熱効果があり、表面のライナー紙に絵柄などを印刷を施こすことにより、意匠性を高めることができる。
【００３１】
この発泡加工紙の構成は、発泡する熱可塑性樹脂層／紙層／熱可塑性樹脂層という構成が基本となっている。具体的には、発泡する低密度ポリエチレン樹脂層／コート紙／低密度ポリエチレン樹脂と高密度ポリエチレン樹脂との混合樹脂層の構成の積層体などが使用される。電子レンジ用紙カップＡ、Ｂに巻き込む場合には、発泡した樹脂層を表面にしても良く、あるいは発泡しない樹脂層を表面にしてもよい。
【００３２】
本発明の電子レンジ用紙カップの用途は、インスタントラーメンなどの温める即席食品用の容器、あるいはコーヒー、紅茶、スープなどの熱い飲料用の容器である。
【００３３】
【実施例】
つぎに、本発明の電子レンジ用紙カップについて実施例をあげて、さらに具体的に説明する。
【００３４】
〔参考例１〕電子レンジ用紙カップの参考例１として、図１に示す電子レンジ用紙カップＡを作製した。まず、胴部材１には、表面からカップ原紙２８０ｇ／ｍ2／低密度ポリエチレン樹脂２５μｍの構成の材料を、底部材２には、表面からカップ原紙２５５ｇ／ｍ2／低密度ポリエチレン樹脂２５μｍの構成の材料を使用して、図３のような胴部材ブランク１０を打ち抜き工程で作製し、この胴部材ブランク１０をマンドレルに巻き付け、筒状の胴部材１ａを形成した。つぎに、一般的な紙カップ成形機で、胴部材１ａの下方から底部材ブランク２０を嵌め込み、接着部分を熱風で加熱し、胴部材１ａの下端部を内側に折り返して折り返し部１２として紙カップａを作製した。つづいて、つぎの工程で、糸じり部３の下部分を内側に折り曲げ、その折り曲げた折り曲げ部３ａの先端部が底部材２の底面部２１に接する位置まで折り曲げ、底面部２１に接着剤で接着して固定し電子レンジ用紙カップＡを作製した。
【００３５】
この参考例１の電子レンジ用紙カップＡでは、紙カップａの糸じり部３の下部分を内側に折り曲げることによって、内容物を入れ、電子レンジで加熱調理した時に、糸じり部３に焦げを発生させることがなかった。
【００３６】
〔実施例１〕本発明の電子レンジ用紙カップの実施例１として、図２に示す電子レンジ用紙カップＢを作製した。まず、参考例１と同様にして、紙カップａを作製した。つぎに、糸じり部３の下部分を内側に略９０度折り曲げた。折り曲げると同時に、折り曲げた折り曲げ部３ａに等間隔で４ヶ所凹状のくさびＱを設け、電子レンジ用紙カップＢ１を作製した。
【００３７】
この実施例１の電子レンジ用紙カップＢでは、紙カップａの糸じり部３の下部分を内側に折り曲げることによって、内容物を入れ、電子レンジで加熱調理した時に、糸じり部３に焦げを発生させることがなかった。また、折り曲げ部３ａに等間隔で４ヶ所凹状のくさびＱを設けることによって、折り込んだ際に生じるシワを吸収し少なくすることができ、そして、平面上での安定性がよくなった。
【００３８】
〔実施例２〕本発明の電子レンジ用紙カップの実施例２として、図６に示す電子レンジ用紙カップＡ′を作製した。実施例１の電子レンジ用紙カップＡの胴部１１の外面全体に対応した筒状の段ボール（Ｆフルート）を使用した断熱カバー４を作製し、この筒状の断熱カバー４に電子レンジ用紙カップＡを嵌め込み、部分的に接着して固定し、図５に示すような電子レンジ用紙カップＡ′を作製した。
【００３９】
この実施例２の電子レンジ用紙カップＡ′では、紙カップａの糸じり部３の下部分を内側に折り曲げることによって、内容物を入れ、電子レンジで加熱調理した時に、糸じり部３に焦げを発生させることがなかった。また、胴部１１に段ボールを材料とした断熱カバー４を取り付けたことにより、断熱性を有し、加熱した内容物が冷めにくく、また、内容物の熱さを感じることなく、手に触れて電子レンジ用紙カップＡを持つことができた。
【００４０】
【発明の効果】
本発明によれば、紙カップの中に、飲料や即席食品などの内容物を入れ、電子レンジで加熱調理した時に、焦げを発生させることのない電子レンジ用紙カップを得ることができる。また、糸じり部の折り曲げ部を底部材の底面部との間に空間を設けることによって、平面上に置いた場合、内容物の熱が逃げにくくなるという効果を有している。
【図面の簡単な説明】
【図１】電子レンジ用紙カップの第一の形態の一参考例を示す断面図である。
【図２】電子レンジ用紙カップの第一の形態の別の参考例を示す断面図である。
【図３】電子レンジ用紙カップの第一の形態のさらに別の参考例の折り曲げ部の部分断面図である。
【図４】本発明による電子レンジ用紙カップの第二の実施の形態の一実施例を示す図である。
【図５】本発明による電子レンジ用紙カップの胴部材のブランクおよび底部材のブランクを示す展開図である。
【図６】本発明による電子レンジ用紙カップを作成する工程を示す図である。
【図７】本発明による電子レンジ用紙カップに断熱カバーを巻き付けた状態を示す断面図である。
【図８】本発明による電子レンジ用紙カップに断熱カバーを巻き付けた状態の胴部の例を示す部分断面図である。
【図９】従来の紙カップを示す部分切り欠け断面図である。
【図１０】従来の電子レンジ用紙カップを示す部分切り欠け断面図である。
【符号の説明】
Ａ    電子レンジ用紙カップ（第一の実施の形態）
Ａ′  電子レンジ用紙カップ（断熱カバー付き）
Ｂ    電子レンジ用紙カップ（第二の実施の形態）
Ｂ′  電子レンジ用紙カップ（断熱カバー付き）
１    胴部材
２    底部材
３    糸じり部
３ａ  折り曲げ部
４    断熱カバー
５    空隙
Ｏ    空間
Ｐ    折り曲げ位置
Ｑ    くさび
Ｒ    シワ
Ｔ    突起部
１０    胴部ブランク
１１    胴部
１２    折り返し部
１３    トップカール部
２０    底部ブランク
２１    底面部
２２    屈曲部
４１    カバー胴部（断熱カバー）
４２ａ  カバー上カール部
４２ｂ  カバー上屈曲部
４３ａ  カバー下カール部
４３ｂ  カバー下屈曲部
【図１】
0004743372.tif 000002
【図２】
0004743372.tif 000003
【図３】
0004743372.tif 000004
【図４】
0004743372.tif 000005
【図５】
0004743372.tif 000006
【図６】
0004743372.tif 000007
【図７】
0004743372.tif 000008
【図８】
0004743372.tif 000009
【図９】
0004743372.tif 000010
【図１０】
0004743372.tif 000011